(57)【特許請求の範囲】
【請求項１】
施術に使用される感染防止装置であって、
床面に配置可能な支持台と、
支持台から延在する支柱と、
前記支柱に対して回転可能なカバー支持部と、
前記カバー支持部を前記支柱に対して回転可能に保持する回転保持部と、
前記カバー支持部に固定される透明なカバーと、
前記カバーに支持されて当該カバーから垂れ下がる中央カバーと、
前記カバーに支持されて当該カバーから垂れ下がり、前記中央カバーに対して、当該中央カバーの厚さ方向と垂直な方向であって当該中央カバーが垂れ下がる方向と垂直な方向の両側に配置される２つの側方カバーと、を有することを特徴とする感染防止装置。
【請求項２】
前記カバーは、前記カバー支持部が固定される側から反対側まで延在する方向と直交する断面において、円弧状に形成される湾曲部を有することを特徴とする請求項１に記載の感染防止装置。
【請求項３】
前記カバーは、前記湾曲部の円弧の両端部から連続する平板状の平板部を有することを特徴とする請求項２に記載の感染防止装置。
【発明の詳細な説明】
【技術分野】
【０００１】
本発明は、指圧、マッサージ、鍼灸治療等の施術を行う際の感染防止装置に関する。
【背景技術】
【０００２】
指圧、マッサージ、鍼灸等の施術を行う際には、施術者は患者に近づく必要がある。特に、頭部、首または肩などを施術する際には、施術者の顔と患者の顔が近づく。このため、施術者または患者の一方がウイルスに感染している場合には、飛沫感染や空気感染等により、感染していない方に感染する可能性が高まる。
【０００３】
例えば特許文献１には、患者の身体の一部を覆うように、透明なアクリル板を円弧状に形成し、握り手が設けられた医療用感染防護器具が記載されている。
【先行技術文献】
【特許文献】
【０００４】
【特許文献１】特開平７−１００１４９号公報
【発明の概要】
【発明が解決しようとする課題】
【０００５】
特許文献１に記載の器具は、手と処置用具を入れることができるが、手を自在に動かすことは困難である。
【０００６】
本発明は、上述した課題を解決するためになされたものであり、施術者および患者の間の感染を効果的に防止しつつ、良好な施術を可能とする感染防止装置を提供することを目的とする。
【課題を解決するための手段】
【０００７】
上記目的を達成する本発明に係る感染防止装置は、施術に使用される感染防止装置であって、床面に配置可能な支持台と、支持台から延在する支柱と、前記支柱に対して回転可能なカバー支持部と、前記カバー支持部を前記支柱に対して回転可能に保持する回転保持部と、前記カバー支持部に固定される透明なカバーと、前記カバーに支持されて当該カバーから垂れ下がる中央カバーと、前記カバーに支持されて当該カバーから垂れ下がり、前記中央カバーに対して、当該中央カバーの厚さ方向と垂直な方向であって当該中央カバーが垂れ下がる方向と垂直な方向の両側に配置される２つの側方カバーと、を有することを特徴とする。
【発明の効果】
【０００８】
上記のように構成した感染防止装置は、回転保持部を利用してカバーを回転させて、カバーの湾曲部により患者の頭部を適切な位置で覆うことができる。このため、カバーによって術者の顔と患者の顔を隔離しつつ、カバーとベッドの間から腕を通す空間を適切な状態とすることができる。このため、本感染防止装置は、施術者および患者の間の感染を効果的に防止しつつ、良好な施術を可能とする。
【０００９】
前記カバーは、前記カバー支持部が固定される側から反対側まで延在する方向と直交する断面において、円弧状に形成される湾曲部を有してもよい。
【００１０】
前記カバーは、前記湾曲部の円弧の両端部から連続する平板状の平板部を有してもよい。これにより、施術者は、ベッドと平板部の間に、施術者が施術を行うために腕を通す空間を確保しつつ、湾曲部および平板部を患者に対して適切な距離で配置できる。このため、本感染防止装置は、施術者および患者の間の感染を効果的に防止しつつ、良好な施術を可能とする。
【図面の簡単な説明】
【００１１】
【図１】第１実施形態に係る感染防止装置を示す図であり、（Ａ）は正面図、（Ｂ）は側面図である。
【図２】第１実施形態に係る感染防止装置を示す斜視図である。
【図３】第１実施形態に係る感染防止装置の水平面における部分断面図である。
【図４】第１実施形態に係る感染防止装置の使用状態を示す側面図である。
【図５】第１実施形態に係る感染防止装置の使用状態を示す正面図である。
【図６】第１実施形態に係る感染防止装置の使用状態を示す部分断面図である。
【図７】第１実施形態に係る感染防止装置の使用状態を上方から見た拡大図である。
【図８】第２実施形態に係る感染防止装置を示す側面図である。
【図９】第２実施形態に係る感染防止装置の部分拡大斜視図である。
【図１０】第２実施形態に係る感染防止装置の使用状態を示す図であり、（Ａ）は平面図、（Ｂ）は（Ａ）のＡ−Ａ線に沿う断面図である。
【図１１】第２実施形態に係る感染防止装置の変形例の使用状態を示す図であり、（Ａ）は平面図、（Ｂ）は（Ａ）のＢ−Ｂ線に沿う断面図である。
【図１２】第２実施形態に係る感染防止装置の他の変形例の使用状態を示す図であり、（Ａ）は平面図、（Ｂ）は（Ａ）のＣ−Ｃ線に沿う断面図である。
【図１３】第１実施形態に係る感染防止装置を示す斜視図であり、（Ａ）は変形例、（Ｂ）は他の変形例を示す。
【図１４】第１実施形態に係る感染防止装置の更に他の変形例を示す図であり、（Ａ）は側面図、（Ｂ）は（Ａ）の矢印Ｄから見た天板の正面図である。
【図１５】第１実施形態に係る感染防止装置の更に他の変形例を示す側面図である。
【図１６】第２実施形態に係る感染防止装置の変形例を示す図であり、（Ａ）は側面図、（Ｂ）は正面図である。
【発明を実施するための形態】
【００１２】
以下、図面を参照して、本発明の実施の形態を説明する。なお、図面の寸法は、説明の都合上、誇張されて実際の寸法とは異なる場合がある。また、本明細書及び図面において、実質的に同一の機能を有する構成要素については、同一の符号を付することにより重複説明を省略する。
＜第１の実施形態＞
【００１３】
第１の実施形態に係る感染防止装置１０は、指圧、マッサージ、鍼灸等の施術を行う施術者と、施術を受ける患者の間のウイルス等の飛沫感染や空気感染を防止するものである。感染防止装置１０は、患者が横になったベッドと、椅子に座った施術者の間に配置される。患者のベッドにおける姿勢は、仰向けであることが好ましいが、これに限定されない。施術者は、椅子に座っていなくてもよい。
【００１４】
感染防止装置１０は、図１〜３に示すように、床面等に配置される支持体２０と、支持体２０の支持部２３から垂れ下がるカバー３０とを備えている。
【００１５】
支持体２０は、床面に接触するように配置される２つの支持台２１と、各々の支持台２１から略垂直に上方へ延在する柱状の２つの支柱２２と、２つの支柱２２を接続する支持部２３および補助梁２４とを有している。なお、上方とは、重力方向の上方向である。
【００１６】
２つの支持台２１の形態は、床面に安定して配置可能であれば、特に限定されない。例えば、支持台２１は１つのみであってもよい。２つの支柱２２は、各々の支持台２１から略垂直に上方へ延在する同形状の部材である。なお、支柱２２が支持台２１から延在する方向は、必ずしも垂直上方に限定されず、垂直上方に対して傾いていてもよい。
【００１７】
支持部２３は、カバー３０を支持する部位である。支持部２３は、２つの支柱２２の間で水平に延在している。補助梁２４は、支持部２３よりも床面に近い側で、２つの支柱２２に連結されている。支持部２３は、支持体２０の強度を確保するための部材である。したがって、支持体２０の強度を十分に確保できれば、補助梁２４は設けられなくてもよい。
【００１８】
カバー３０は、施術者が患者を見て施術できるように透明であり、かつ施術者と患者の間での飛沫を防止するための柔軟なフィルム状の部材である。カバー３０は、１つの中央カバー３１と、２つの側方カバー３２とを備えている。透明とは、反対側を目視できるのであれば、半透明も含むものとする。
【００１９】
中央カバー３１は、略長方形であり、短辺の１つである側端が、支持部２３の延在方向の略中央部に固定されている。中央カバー３１は、重力によって下方へ垂れ下がっている。中央カバー３１の下端には、中央カバー３１が捲れ上がることを抑制して垂れ下がった状態を維持するための錘３１Ａが設けられる。下方とは、重力方向の下方向である。下端とは、重力方向の下側の端部である。なお、錘３１Ａは、設けられなくてもよい。
【００２０】
各々の側方カバー３２は、略長方形であり、短辺の１つである側端が、支持部２３の支柱２２に近い側に固定されている。すなわち、２つの側方カバー３２は、中央カバー３１に対して、当該中央カバー３１の厚さ方向と垂直な方向であって中央カバー３１が垂れ下がる方向Ｘと垂直な方向の両側に配置される。側方カバー３２は、重力によって下方へ垂れ下がっている。側方カバー３２の下端には、側方カバー３２が捲れ上がることを抑制して垂れ下がった状態を維持するための錘３２Ａが設けられる。なお、錘３２Ａは、設けられなくてもよい。
【００２１】
側方カバー３２は、長辺の１つが位置する側辺が、支柱２２に固定されている。このため、側方カバー３２の位置は、感染防止に適切な位置に保持される。なお、側方カバー３２は、支柱２２に固定されていなくてもよい。側方カバー３２の支柱２２に固定される側の側辺と反対側の側辺、すなわち中央カバー３１に近接する側の側辺は、中央カバー３１の側辺と重なる重なり部３３を有している。重なり部３３は、中央カバー３１の側辺に対して、中央カバー３１の厚さ方向へ接触可能に重なっている。なお、重なり部３３は、中央カバー３１の表面と接触せずに、厚さ方向に多少離れていてもよい。重なり部３３は、中央カバー３１に対して、患者が位置する面側に配置される。このため、側方カバー３２は、中央カバー３１と干渉せずに、患者側へ撓むことができる。このため、施術者が感染防止装置１０を使用する際に、中央カバー３１の位置を適切に維持しつつ、側方カバー３２を撓ませて腕を通しやすい。なお、変形例として、側方カバー３２は、中央カバー３１と重ならなくてもよい。また、重なり部３３は、中央カバー３１に対して、施術者が位置する面側に配置されてもよい。
【００２２】
中央カバー３１と側方カバー３２は、支持部２３に対して、施術者側ではなく患者側に配置される。このため、中央カバー３１および側方カバー３２は、施術者が使用する際に患者側へ撓みやすいため、施術者が腕を通しやすい。なお、中央カバー３１および側方カバー３２は、支持部２３に対して施術者側に配置されてもよく、または施術者側と患者側の間に配置されてもよい。
【００２３】
中央カバー３１の幅Ｗ１（中央カバー３１の厚さ方向と垂直な方向であって中央カバー３１が垂れ下がる方向Ｘ（例えば下方向）と垂直な方向（例えば水平方向）の長さ）は、特に限定されないが、患者の頭よりも大きい長さであることが好ましく、かつ施術者が中央カバー３１を挟む両側に両腕を通せるように長すぎないことが好ましい。中央カバー３１の幅Ｗ１が患者の頭部の幅ＨＷよりも長いことで、中央カバー３１は、患者の頭部を包むように変形できるため、感染防止に好ましい。患者の頭部の幅ＨＷは、一般的に１６０ｍｍ程度である。中央カバー３１の幅Ｗ１は、特に限定されないが、好ましくは３００〜５００ｍｍであり、より好ましくは３５０〜４００ｍｍである。
【００２４】
２つの側方カバー３２の幅Ｗ２は、特に限定されないが、例えば２００ｍｍである。
【００２５】
２つの側方カバー３２の水平方向の離間距離Ｗ３は、患者の頭よりも大きい長さであることが好ましく、例えば１６０ｍｍ以上であり、一例として２００ｍｍである。
【００２６】
２つの側方カバー３２の中央カバー３１と重ならない部位の水平方向の幅Ｗ４は、特に限定されないが、例えば１００ｍｍである。
【００２７】
各々の重なり部３３の幅Ｐ（側方カバー３２の厚さ方向と垂直な方向であって側方カバー３２が垂れ下がる方向Ｘ（例えば下方向）と垂直な方向（例えば水平方向の長さ）は、特に限定されないが、好ましくは８０〜１００ｍｍである。一例として、幅Ｐは、１００ｍｍである。
【００２８】
中央カバー３１および２つの側方カバー３２を含むカバー３０の全体の幅Ｗは、特に限定されないが、例えば６００ｍｍである。
【００２９】
中央カバー３１および側方カバー３２の上端の床面からの鉛直方向の高さＨ１は、特に限定されないが、感染を確実に抑えられるように、椅子５０に座った施術者の頭よりも高いことが好ましく、好ましくは１２００〜１３００ｍｍである。
【００３０】
中央カバー３１および側方カバー３２の下端の床面からの鉛直方向の高さＨ２（図１を参照）は、特に限定されないが、患者が横たわるベッド４０の高さ未満であることが好ましい。患者が横たわるベッド４０の高さは、通常、４００〜６５０ｍｍ程度である。したがって、中央カバー３１および側方カバー３２の高さＨ２は、特に限定されないが、好ましくは０ｍｍを超えて３００ｍｍ以下である。
【００３１】
なお、本実施形態では、中央カバー３１および側方カバー３２は、垂れ下がり方向に沿って長辺を有する長方形となっているが、垂れ下がり方向に沿って短辺を有する長方形であってもよく、または正方形であってもよい。また、中央カバー３１および側方カバー３２の形状は、四角形でなくてもよい。
【００３２】
中央カバー３１および側方カバー３２の構成材料は、透明であって、かつ撓むことができれば特に限定されず、例えば、ポリ塩化ビニル、ポリエチレン、ポリプロピレン等の樹脂材料が挙げられる。
【００３３】
次に、第１実施形態に係る感染防止装置１０の使用方法を説明する。
【００３４】
感染防止装置１０を使用する際には、図４および５に示すように、患者はベッド４０に横たわり、施術者は椅子５０に座っている。この状態で、施術者の顔と患者の顔は、中央カバー３１および側方カバー３２によって隔絶されているため、互いの感染を予防できる。
【００３５】
施術者は、患者の頭部、首または肩等の施術をする際に、図４〜７に示すように、両腕を中央カバー３１および側方カバー３２の間の隙間から患者側へ通すとともに、施術をする部位を目視するために、顔を患者の頭部に近づける。このとき、側方カバー３２および中央カバー３１の近接する部位が、患者側へ撓むように変形する。側方カバー３２は、重なり部３３において中央カバー３１に対して患者側に重なっているため、中央カバー３１にほとんど干渉せずに、中央カバー３１よりも患者側へ大きく撓むことができる。このため、側方カバー３２および中央カバー３１の間に、広い通路が確保される。このため、術者は、手首の近傍から先のみを側方カバー３２および中央カバー３１の間から患者側へ通し、患者の患部に触れることができる。したがって、施術者は、側方カバー３２および中央カバー３１に妨げられることなく、施術を行うことができる。また、側方カバー３２は、側辺が支柱２２に固定されているとともに錘３２Ａが設けられているため、撓み過ぎない。このため、側方カバー３２は、感染防止の役割を果たすとともに、施術者が腕を引きぬいた際に元の状態に戻りやすい。
【００３６】
中央カバー３１は、大きく撓む側方カバー３２から干渉を受けにくいため、必要以上に撓み過ぎない。そして、中央カバー３１は、図６および７に示すように、適切な形状で、患者の頭部を包むように曲がる。このため、中央カバー３１は、施術者の顔と患者の顔を隔絶した状態を良好に維持し、互いの感染を防止できる。
【００３７】
以上のように、第１実施形態に係る感染防止装置１０は、施術に使用される感染防止装置１０であって、支持部２３と、支持部２３に支持されて支持部２３から垂れ下がる透明な中央カバー３１と、支持部２３に支持されて支持部２３から垂れ下がり、中央カバー３１に対して、当該中央カバー３１の厚さ方向と垂直な方向であって当該中央カバー３１が垂れ下がる方向Ｘと垂直な方向の両側に配置される２つの側方カバー３２と、を有する。
【００３８】
上記のように構成した感染防止装置１０を用いることで、術者は、中央カバー３１および側方カバー３２によって術者の顔と患者の顔を隔離しつつ、中央カバー３１と側方カバー３２の間から腕を通して、腕の動作を妨げられずに、患者の施術を行うことができる。このため、本感染防止装置１０は、施術者および患者の間の感染を効果的に防止しつつ、良好な施術を可能とする。
【００３９】
また、２つの側方カバー３２は、中央カバー３１に重なる重なり部３３を有し、２つの側方カバー３２に設けられる重なり部３３は、中央カバー３１に対して同じ面側に配置される。これにより、感染防止装置１０は、重なり部３３が設けられることで、側方カバー３２と中央カバー３１の隙間からのウイルスの移動を抑制し、隔離して感染を防止する機能を高めることができる。さらに、術者が中央カバー３１に対して重なり部３３が重なる側の反対側から腕を中央カバー３１と側方カバー３２の間に通すことで、中央カバー３１で患者の頭部を包むように中央カバー３１を変形させつつ、側方カバー３２を撓ませて腕を通すことができる。このため、感染防止装置１０は、中央カバー３１によって施術者および患者の間の感染を効果的に防止しつつ、側方カバー３２を撓ませて施術者の腕の動作を妨げずに、良好な施術を可能とする。
【００４０】
また、感染防止装置１０は、側方カバー３２の中央カバー３１に隣接する側の反対側が固定された支柱２２（側方支持部）を有する。これにより、側方カバー３２の位置を、感染防止に適切な位置に保持することができる。なお、側方カバー３２が固定される側方支持部は、支柱２２以外の場所に形成されてもよい。
【００４１】
＜第２実施形態＞
第２の実施形態に係る感染防止装置６０は、図８および９に示すように、床面等に配置される支持体７０と、支持体７０に連結されたカバー８０とを備えている。
【００４２】
支持体７０は、床面に接触するように配置される１つの支持台７１と、支持台７１から略垂直に上方へ延在する柱状の１つの支柱７２と、カバー８０が固定されるカバー支持部７３と、カバー支持部７３を支柱７２に対して回転可能に保持する回転保持部７４とを有している。
【００４３】
支持台７１の形態は、床面に安定して配置可能であれば、特に限定されない。支柱７２は、支持台７１から略垂直に上方へ延在する同形状の部材である。なお、支柱７２が支持台７１から延在する方向は、必ずしも垂直上方に限定されず、垂直上方に対して傾いていてもよい。
【００４４】
カバー支持部７３は、一端がカバー８０に固定され、反対側の端部が回転保持部７４に固定されている。回転保持部７４は、カバー支持部７３を支柱７２に対して回転させる機能を有するとともに、任意の角度でカバー支持部７３を支柱７２に対して固定できる構造を有している。回転保持部７４は、例えば、支柱７２およびカバー支持部７３が枢着する回転軸を有するとともに、所定の力以上の力を作用させなければ回転しない摩擦力で接触して保持される。または、回転保持部７４は、支柱７２およびカバー支持部７３が枢着する回転軸を有するとともに、任意の回転角度でボルトを捩じ込んで締結して固定できるような構造を備えてもよい。なお、回転保持部７４は、公知の構造を任意に適用できる。
【００４５】
カバー８０は、施術者が患者を見て施術できるように透明であり、施術者と患者の間での飛沫を防止するための部材である。カバー８０は、形状を維持できる程度に硬質である。カバー８０は、円弧状に湾曲した湾曲部８１と、湾曲部８１を挟む２つの平板部８２とを備えている。
【００４６】
湾曲部８１は、カバー支持部７３が固定される側から反対側まで延在する方向Ｙと直交する断面において、略半円を描くように円弧状に形成されている。２つの平板部８２は、湾曲部８１の円弧の両端側に連続する平板状の部位である。なお平板部８２は、曲率半径が無限大の完全な平板であってもよいが、湾曲部８１よりも大きな曲率半径を有する多少湾曲した平板であってもよい。２つの平板部８２は、同一平面に位置するように平行に形成される。なお、２つの平板部８２は、同一平面上に位置しなくてもよく、平行ではなく角度を有するように傾いて形成されてもよい。湾曲部８１および平板部８２は、一体的に形成されることが好ましいが、別部材であってもよい。
【００４７】
カバー８０の構成材料は、透明であって、かつある程度硬質であれば特に限定されず、例えば、アクリル樹脂、ポリ塩化ビニル（特に硬質ポリ塩化ビニル）、ポリエチレン、ポリプロピレン等の樹脂材料やガラスが挙げられる。
【００４８】
次に、第２実施形態に係る感染防止装置６０の使用方法を説明する。
【００４９】
感染防止装置６０を使用する際には、患者はベッド４０に横たわり、施術者は椅子５０に座っている。この状態で、図１０に示すように、回転保持部７４を操作して、カバー８０の湾曲部８１によって、患者の頭部を任意の角度で覆うことができる。このとき、２つの平板部８２を、ベッド４０の上面から所定の隙間Ｓを有して配置してもよい。隙間は、特に限定されないが、施術者が腕を通して施術できる大きさであることが好ましく、例えば１５０〜４００ｍｍである。施術者は、カバー８０とベッド４０の間に手を入れることで、カバー８０を介して施術をする部位を目視しつつ、施術を行うことができる。カバー８０は、施術者の顔と患者の顔を隔絶した状態を良好に維持し、互いの感染を防止できる。なお、平板部８２は、ベッド４０の上面に接触してもよい。この場合、施術者の顔と患者の顔をより確実に隔絶した状態とすることができる。
【００５０】
なお、図１１に示す変形例のように、カバー８０に平板部８２が設けられなくてもよい。この場合、湾曲部８１をベッド４０の上面に接触させてもよいが、接触させずに、隙間Ｓを有して離してもよい。
【００５１】
また、図１２に示す他の変形例のように、カバー８０に湾曲部８１が設けられずに平板部８２で形成されてもよい。この場合、カバー８０は、ベッド４０の上面に接触せずに、隙間を有して離れている。
【００５２】
以上のように、第２実施形態に係る感染防止装置６０は、施術に使用される感染防止装置６０であって、床面に配置可能な支持台７１と、支持台７１から延在する支柱７２と、支柱７２に対して回転可能なカバー支持部７３と、カバー支持部７３を支柱７２に対して回転可能に保持する回転保持部７４と、カバー支持部７３に固定される透明なカバー８０と、を有し、カバー８０は、カバー支持部７３が固定される側から反対側まで延在する方向Ｙと直交する断面において、円弧状に形成される。
【００５３】
上記のように構成した感染防止装置６０は、回転保持部７４を利用してカバー８０を回転させて、カバー８０の湾曲部８１により患者の頭部を適切な位置で覆うことができる。このため、カバー８０によって術者の顔と患者の顔を隔離しつつ、カバー８０とベッド４０の間から腕を通す空間を適切な状態とすることができる。このため、本感染防止装置６０は、施術者および患者の間の感染を効果的に防止しつつ、良好な施術を可能とする。
【００５４】
また、カバー８０は、湾曲部８１の円弧の両端部から連続する平板状の平板部８２を有する。これにより、施術者は、ベッド４０と平板部８２の間に、施術者が施術を行うために腕を通す空間を確保しつつ、湾曲部８１および平板部８２を患者に対して適切な距離で配置できる。このため、本感染防止装置６０は、施術者および患者の間の感染を効果的に防止しつつ、良好な施術を可能とする。
【００５５】
なお、本発明は、上述した実施形態のみに限定されるものではなく、本発明の技術的思想内において当業者により種々変更が可能である。例えば、図１３（Ａ）に示す第１実施形態の変形例のように、中央カバー３１の上端以外の縁部（例えば、下端の支柱２２に近い側の端部）は、支柱２２（側方支持部）に対して、柔軟な紐状の連結部材３４により連結されてもよい。連結部材３４は、例えば天然ゴムや合成ゴムからなる伸縮可能な部材である。または、連結部材３４は、ほとんど伸縮しないが、ある程度の緩み（撓み）がある状態で支柱２２と中央カバー３１を連結してもよい。連結部材３４が設けられることで、中央カバー３１は、多少の移動が許容されるために施術を妨げず、かつ捲れることを防止できる。このため、施術者および患者の間の感染を効果的に防止しつつ、良好な施術を可能とする。
【００５６】
また、図１３（Ｂ）に示す第１実施形態の他の変形例のように、支柱２２に、第２実施形態と同様に回転可能であって任意の角度で固定可能な回転保持部７４が設けられてもよい。
【００５７】
また、図１４に示す第１実施形態の更に他の変形例のように、支持体２０は、支持部２３または支柱２２に固定された天板２５を有してもよい。天板２５は、カバー３０の少なくとも一部よりも上方（カバー３０が垂れ下がる方向Ｘ（下方向）の反対方向）に位置し、患者の頭部の上方を覆うように、支持部２３または支柱２２から患者側へ張り出している。天板２５は、床面と略平行となるように患者側へ延在するが、床面と平行でなくてもよい。天板２５は、床面に対する角度を調節可能であってもよい。天板２５は、透明であっても、透明でなくてもよい。天板２５が透明であれば、施術者は、天板２５を介して患部を目視して施術を行うことができる。天板２５は、図１４（Ｂ）に示すように、張出方向と直交する方向の縁部２６が、下方へ向かって曲がって形成されてもよい。このような縁部２６は、天板２５の張出方向の端部にも設けられてよい。なお、天板２５の縁部２６は、曲がっていなくてもよい。
【００５８】
天板２５は、患者が会話や咳をした場合などに、患者の飛沫が天井方向から部屋の全体に拡散することを抑制できる。すなわち、天板２５は、飛沫が広がる範囲を制限できる。天板２５に縁部２６が設けられることで、飛沫の拡散を抑制する効果をさらに高めることができる。
【００５９】
また、図１５に示す第１実施形態の更に他の変形例のように、支持台２１は、床面と接して回転可能な車輪２７を有してもよい。これにより、感染防止装置１０の移動が容易となる。なお、車輪２７は、上述した他の実施形態にも適用できる。
【００６０】
また、図１６に示すように、第２実施形態に係る感染防止装置６０のカバー８０に、第１実施形態と同様の中央カバー３１および側方カバー３２が設けられてもよい。カバー８０は、天板としても機能できるとともに、中央カバー３１および側方カバー３２を固定する支持部としても機能できる。カバー８０が透明であれば、中央カバー３１および側方カバー３２は、透明でなくてもよいが、透明であることが好ましい。また、中央カバー３１および側方カバー３２が透明であれば、カバー８０は、透明でなくてもよいが、透明であることが好ましい。また、図１１〜１２に示す第２実施形態の変形例に、第１実施形態と同様の中央カバー３１および側方カバー３２が設けられてもよい。
【符号の説明】
【００６１】
１０、６０    感染防止装置
２０、７０    支持体
２１、７１    支持台
２２、７２    支柱
２３    支持部
２４    補助梁
３０、８０    カバー
３１    中央カバー
３２    側方カバー
３３    重なり部
４０    ベッド
５０    椅子
７３    カバー支持部
７４    回転保持部
８１    湾曲部
８２    平板部
【要約】
【課題】施術者および患者の間の感染を効果的に防止しつつ、良好な施術を可能とする感染防止装置を提供する。
【解決手段】施術に使用される感染防止装置６０であって、床面に配置可能な支持台７１と、支持台７１から延在する支柱７２と、支柱７２に対して回転可能なカバー支持部７３と、カバー支持部７３を支柱７２に対して回転可能に保持する回転保持部７４と、カバー支持部７３に固定される透明なカバー８０と、を有する。
【選択図】図８【図１】
0006930773.tif 000002
【図２】
0006930773.tif 000003
【図３】
0006930773.tif 000004
【図４】
0006930773.tif 000005
【図５】
0006930773.tif 000006
【図６】
0006930773.tif 000007
【図７】
0006930773.tif 000008
【図８】
0006930773.tif 000009
【図９】
0006930773.tif 000010
【図１０】
0006930773.tif 000011
【図１１】
0006930773.tif 000012
【図１２】
0006930773.tif 000013
【図１３】
0006930773.tif 000014
【図１４】
0006930773.tif 000015
【図１５】
0006930773.tif 000016
【図１６】
0006930773.tif 000017